(57)【特許請求の範囲】
【請求項１】
一端に固定基部、他端にディスプレイが設けられたアームによりディスプレイを移動自在に支持するディスプレイ支持装置であって、
前記アームの一部が、２つのリンク部材からなる平行リンクにより構成され、前記ディスプレイの少なくとも上下移動が、前記平行リンクの回動により行われるようになっており、前記２つのリンク部材の互いの相対平行移動が、摩擦部材を介して規制され、前記摩擦部材が、前記いずれか一方のリンク部材に対して長手方向に摺動可能に摺接する面板からなり、かつ、この面板の一部が、他方のリンク部材に対して垂直方向に移動可能に支持されていることを特徴とするディスプレイ支持装置。
【請求項２】
前記摩擦部材と前記少なくともいずれか一方のリンク部材との抗力が、抗力調整手段を介して調整可能になっている請求項１に記載のディスプレイ支持装置。
【請求項３】
前記抗力調整手段が、前記摩擦部材と前記リンク部材とを狭持するボルト・ナットであり、前記ボルトを軸周りに回動操作する把手部材が、前記平行リンクの外部に設けられている請求項２に記載のディスプレイ支持装置。
【発明の詳細な説明】
【０００１】
【発明の属する技術分野】
本発明は、主に机上等でディスプレイを移動自在に支持するディスプレイ支持装置に係わり、特に、ディスプレイを所定高さ位置まで安定移動し得るディスプレイ支持装置に関する。
【０００２】
【従来の技術】
近年、主にパソコンやテレビ等のディスプレイとして、薄型の液晶ディスプレイやプラズマディスプレイ等が急速に普及しつつある。このような液晶ディスプレイはこれまでの主流だったＣＲＴ等に比べて薄型であるため、例えばオフィスや家庭における机上で使用しようとする場合においても広いスペースを占有することがなく、便利であった。
【０００３】
このような液晶ディスプレイを有効に利用するために、例えば照明器具等に使用されるような多関節のアーム装置により、ディスプレイを任意方向に移動自在に、かつ任意の高さ位置まで安定的に移動させるようにしている。
【０００４】
【発明が解決しようとする課題】
この種のアーム装置にあっては、関節部における回転軸の近傍に摩擦力を与え、関節部における摺接移動によって生じる摩擦熱によってエネルギーを吸収し、アームの回動を規制し、急激な落下を防止する手段が一般的である。この場合、回動軸近傍に力を与えるため、ディスプレイの移動を効果的に規制するには、単一面積当たりに与える抗力を大きくしなければならず、そのため、ディスプレイの移動時において摩擦音が発生することがあるばかりか、ディスプレイが安定して動かなくなるといった問題があった。
【０００５】
本発明は、このような問題点に着目してなされたもので、より効果的な摩擦抵抗を利用して、ディスプレイを任意の高さに確実に安定移動出来るディスプレイ支持装置を提供することを目的とする。
【０００６】
【課題を解決するための手段】
上記課題を解決するために、本発明のディスプレイ支持装置は、一端に固定基部、他端にディスプレイが設けられたアームによりディスプレイを移動自在に支持するディスプレイ支持装置であって、
前記アームの一部が、２つのリンク部材からなる平行リンクにより構成され、前記ディスプレイの少なくとも上下移動が、前記平行リンクの回動により行われるようになっており、前記２つのリンク部材の互いの相対平行移動が、摩擦部材を介して規制され、前記摩擦部材が、前記いずれか一方のリンク部材に対して長手方向に摺動可能に摺接する面板からなり、かつ、この面板の一部が、他方のリンク部材に対して垂直方向に移動可能に支持されていることを特徴としている。
この特徴によれば、アームの回動に伴い、互いのリンク部材同士の相対移動、すなわち平行リンクの回転に伴いリンク部材同士が正逆方向に互いに移動するため、単一面積当たりに与える抗力が例えば半分まで小さくても、平行リンクの回動を簡単な構造で従来と同様に規制出来、ディスプレイの移動時における摩擦音が生じにくくなるばかりか、安定してディスプレイを移動させることが出来る。
【０００７】
本発明のディスプレイ支持装置は、前記摩擦部材と前記少なくともいずれか一方のリンク部材との抗力が、抗力調整手段を介して調整可能になっていることが好ましい。
このようにすれば、支持するディスプレイの重量変更に対応して、ディスプレイを安定して支持することが可能となる。
【０００９】
本発明のディスプレイ支持装置は、前記抗力調整手段が、前記摩擦部材と前記リンク部材とを狭持するボルト・ナットであり、前記ボルトを軸周りに回動操作する把手部材が、前記平行リンクの外部に設けられていることが好ましい。
このようにすれば、平行リンクを、手動で外部から簡単に固定出来る。
【００１１】
【発明の実施の形態】
以下、本発明の実施例を図面に基づいて説明すると、まず図１には、液晶のディスプレイ１が、机の天板２上に取り付けられたディスプレイ支持装置としてのアーム装置３に支持されている状態が示されている。４はディスプレイ１をアーム装置３の先端に取り付けるための取付板、５はディスプレイ１の左右側に突出された把手部（図５参照）をそれぞれ示しており、使用者は把手部５を掴んだ状態でディスプレイ１を天板２上の任意の位置に移動し、固定することが出来るようになっている。
【００１２】
アーム装置３は、図１〜図３に示されるように、ディスプレイ側の第１垂直軸７と、この反対側の第２垂直軸８とに、前後両端がそれぞれ水平軸９ａ〜９ディスプレイにより上下方向に回動自在に軸着された第１リンク１０と第２リンク１１とで平行リンクを構成する第１アーム１２と、第１垂直軸７に一端が左右方向に水平回動可能に軸着され、他端に取付板４が取り付けられた第２アーム１３と、第２垂直軸８の下部を軸心周りに回動自在に支持するとともに、下部に天板２に対して着脱自在とするブラケット１４を有する固定基部１５とから構成されている。なお、アーム装置３の天板２への取付けはブラケット１４以外の種々の方法により取付可能である。
【００１３】
第１リンク１０は、長手方向に対して垂直な断面が下向き略コ字形をなす板部材により構成されており（図６参照）、この第１リンク１０の左右側板１０ａの前後には、水平軸９ａ、９ｂの挿通孔が形成されている。第２リンク１１は、前後位置にそれぞれ水平軸９ｃ、９ディスプレイの挿通孔が形成された２枚の側板１１ａからなり、側板１１ａはそれぞれ第１リンク１０の側板１０ａの内側に位置するように設けられている。
【００１４】
これら２枚の側板１１ａの内面には、図６に示されるように、左右の垂直板３３ａと、水平板３３ｂと、垂直板３３ａの下端縁と水平板３３ｂの左右端縁とを連設する傾斜板３３ｃとから構成される区画板３３の垂直板３３ａの外面が固着されており、左右の側板１１ａが区画板３３により連結されている。この区画板３３は、後述するコイルバネの外周面に沿うように第１アーム１２の長手方向に設けられており、この区画板３３と、下向きに開口する第１リンク１０と、側板１１ａとにより、第１アーム１２内に空間部Ｓが形成されている。
【００１５】
空間部Ｓ内には、図１、図４、図６に示されるように、一端が水平軸９ｃに係止され、他端が後述する付勢力調整機構３４（図７参照）を介して水平軸９ｂに係止されている略円筒形をなすコイルバネ３５が収納されている。コイルバネ３５は引っ張りバネであり、第１アーム１２の下方への回動に伴い伸長する。
【００１６】
第２リンク１１の左右側板１１ａの下端は、図６に示されるようにそれぞれ区画板３３の垂直板３３ａと傾斜板３３ｃとの連設部よりも下方に垂下されており、それぞれの側板１１ａの下部には、係合孔３６が長手方向の複数箇所に形成されている。３７は、長手方向に対して垂直な断面が上向き略コ字形をなす合成樹脂製のカバー部材であり、側板の上部外側に形成された係止部３８を係合孔３６に対して係脱させることにより、第２リンク１１の下方に着脱自在に取付け出来るようになっている。
【００１７】
このカバー部材３７が第２リンク１１の下方に取り付けられることにより、図６に示されるように区画板３３の下方における左右側に、すなわち傾斜板３３ｃの外側に第２リンク１１の長手方向に延びる電源コードやケーブル類の配線収納空間３９が形成される。
【００１８】
この配線収納空間３９は、カバー部材３７の底面が区画板３３に近接するように取り付けられても、コイルバネ３５の周面に沿うように設けられる傾斜板３３ｃにより確実に確保される。よって、カバー部材３７を下方に大きく張り出して第１アーム１２全体に上下の厚みを形成することなく、複数本の電源コードやケーブル類をコンパクトに収納することが出来る。
【００１９】
第２垂直軸８は、図２に示されるように、上下が開口する筒状部材８ａと、この筒状部材８ａ内の略中心部に、取付板４０介して取り付けられる筒状部材４１とから構成されており、筒状部材８ａの上部には、第１リンク１０及び第２リンク１１を支持する水平軸９ｂ、９ディスプレイの挿通孔が形成された支持板８ｂが固着されている。この筒状部材４１の直径は筒状部材８ａの直径よりも小径であり、筒状部材４１の外周面と筒状部材８ａの内面との間に、電源ケーブルやケーブル類挿通用の周状の配線収納空間４６が形成されている。この筒状部材４１内に、ブラケット１４の上板１４ａ上に立設された支持棒４２を挿通し、支持棒４２の上端面と筒状部材４１の蓋板下面とが摺接された状態で、筒状部材４１が支持棒４２の軸心周りに回動自在に支持される。
【００２０】
ブラケット１４の上板１４ａ上には、図３に示されるように、上面に支持棒４２を中心とする同心円弧状に形成された溝部４４が形成された支持部材４３が固設されている。この溝部４４内には、筒状部材４１の支持棒４２への挿通時において、筒状部材４１の外周面所定箇所に固着された棒材４５の下端が挿通されるようになっている。本実施例における溝部４４は半円弧形状に形成されており、棒材４５により第２垂直軸８の回転角度が約１８０度に規制されている。
【００２１】
支持部材４３後部の円弧の一部は直線状に切り欠かれており、筒状部材８ａの下部に、筒状部材８ａ内の配線収納空間４６内を挿通する電源コードやケーブル類を外部に延出するための開口が確保されている。また、この配線収納空間４６の上部も開口され、第２リンク１１のカバー部材３７により形成される配線収納空間３９に連通している。
【００２２】
第２リンク１１を構成する左右の側板１１ａの前方における上部所定箇所には、図１及び図５、図６に示されるように、それぞれ内向きに屈曲される先端に係止溝４８を有する側面視Ｌ字形の係止片４７が形成されている。また、上板１０ｂの下面１０ｃには、係止溝４８に両端縁が係止される垂直片５１と、上面が上板１０ｂの下面１０ｃに摺接する摺接板５２とから側面視Ｌ字形に形成される摩擦部材としての摺接部材５３が、上板１０ｂの前方所定箇所に形成される挿通孔５０、及び摺接板５２に形成される長溝５４内を挿通する調整ボルト４９と、この他端に螺入され、かつ、摺接板５２の裏面に設けられる押圧板５６に固着され、調整ボルト４９の軸周りの回動に伴う回転が規制されたナット５５との締め付けにより保持されている。これら調整ボルト４９及びナット５５とにより、摺接部材５３と上板１０ｂとの抗力調整手段を構成している。
【００２３】
図３に示されるように、第１アーム１２が上下動すると、第２リンク１１に設けられた係止片４７は第１リンク１０に対して前後方向に相対移動する。この移動に伴い、摺接部材５３の摺接板５２が、長溝５４を介して調整ボルト４９に案内されながら下面１０ｃに摺接した状態で長手方向に摺動するようになっている。
【００２４】
コイルバネ３５の付勢力調整機構３４は、図７に示されるように、フック部５７ａを介して水平軸９ｂに係止されたフック片５７に、軸心周りに回転自在に挿通されるボルト５８と、コイルバネ３５の一端を係止する係止板５９に一体化され、ボルト５８に螺入するナット６０とからなる。
【００２５】
支持板８ｂの上部には、支持板８の後方開口を開閉自在とする蓋部材６２が、水平方向を向く軸部材６１を介して上下方向に回動自在に枢支されており、蓋部材６２を開放することで、六角レンチ６３の先端をボルト５８の頭部５８ａに形成された六角形状の孔（図示略）内に嵌挿出来るようになっている。すなわち、コイルバネ３５の付勢力の調整を行うには、頭部５８ａの孔内に六角レンチ６３を嵌挿し、ボルト５８を軸心周りに正逆回転させればよい。
【００２６】
図１に戻って、第２アーム１３の一端は、第１垂直軸７上部に水平方向に回動自在に軸着されている。第２アーム１３の他端には水平方向を向く水平軸２１が取り付けられており、この水平軸２１が取付板４の裏面に、軸心周りに回転自在に保持されているため、図１中実線と２点鎖線で示されるように、ディスプレイ１を前後方向に傾けることが出来るようになっている。
【００２７】
パイプ状のフレームからなる把手部５は、ディスプレイ１の左右端部にそれぞれ突設されており、ディスプレイ１の利用者はそれぞれの把手部５を把持した状態でディスプレイ１を任意の方向に移動出来るようになっている。
【００２８】
次にこのように構成された本発明実施例としてのアーム装置３の作用を、以下図面に基づいて説明する。停止状態にあるディスプレイ１の上下方向の移動は、図３に示されるように第１アーム１２の上下回動により行われる。この時、第１、第２リンク１０、１１からなる平行リンク機構により、第１垂直軸７は垂直状態が保持された状態で上下移動されるので、ディスプレイ１は上下方向の向きを変えることなく上下移動される。よって、使用者はディスプレイ１の手前からディスプレイ１の画面部（図示略）を見ながら上下位置を容易に調整することが出来る。なお、ディスプレイ１の上下向きの微妙な調整は、水平軸２１を中心にディスプレイ１を回動させることにより行うことが出来る。
【００２９】
第１アーム１２内に設けられたコイルバネ３５は、第１アーム１２の上方向への回動時において収縮されて第１アーム１２を上方に付勢するため、アーム装置３の先端にディスプレイ１等の重量物を支持する場合にあっても、小さい力でディスプレイ１を上方向へ容易に移動出来るとともに、コイルバネ３５が第１アーム１２の下方向への回動時において伸長することで、ディスプレイ１の急激な落下等が防止されるようになっている。
【００３０】
ディスプレイ１を左右方向に移動させる場合、第１、第２垂直軸７、８のいずれかを中心に第１、第２アーム１２、１３を介してディスプレイ１を回動させればよい。本実施例においてこれら第１、第２垂直軸７、８の回動固定手段等は特に図示されていないが、適宜摩擦抵抗を有する摩擦部材等をアームと垂直軸間にかませることで適量な固定感を得ることが出来る。
【００３１】
また、アーム装置３の先端に支持されたディスプレイ１から延出され、本体側に接続すべく電源コードやケーブル類は、図１に示されるように、カバー部材３７と区画板３３との間に形成される配線収納空間３９内から第２垂直軸８の配線収納空間４６の上部から下部へ挿通させた後、下方に延出させることが出来るため、外部に露呈してアーム装置３の移動の邪魔になったり、外部に露呈して外観が損なわれること等がない。
【００３２】
カバー部材３７と区画板３３との間に形成される配線収納空間３９は、区画板３３の傾斜板３３ｃの外側面にそれぞれ形成されるため、複数本の電源コードやケーブル類を、第１アーム１２の上下に厚みを形成することなく、コンパクトに収納することが出来る。
【００３３】
また、区画板３３により、配線収納空間３９内の電源コードやケーブル類が第１アーム１２の移動に伴い伸縮するコイルバネ３５に挟まれたり、空間部Ｓ内で振れ動くコイルバネ３５に押し潰されたりする等の干渉を受けることがない。
【００３４】
さらに、第２垂直軸８内を挿通する電源コードやケーブル類は、大径の筒状部材８ａと、支持棒４２に嵌挿される小径の筒状部材４１との間に形成される配線収納空間４６内に挿通されるため、第２垂直軸８の回転により捩れて断線することがない。
【００３５】
第１アーム１２の上下回動時において、特に図３、図５に示されるように、摺接部材５３と第１リンク１０とが互いに長手方向の逆方向に相対移動するため、摺接板５２の上板１０ｂの下面１０ｃとの摺接により摩擦抵抗が生じる。この摩擦抵抗により、第１アーム１２の下方向への回動速度が抑制され、ディスプレイ１の急速な落下が防止される。
【００３６】
本実施例にあっては、上記のように互いに長手方向の逆方向に相対移動する摺接部材５３と上板１０ｂとを、調整ボルト４９とこれに螺合するナット５５の締め付けにより狭持するため、小さな抗力で、第１アーム１２の平行移動を確実に規制することが出来る。よって、摩擦音が生じにくくなるばかりか、ディスプレイ１を所望の高さ位置まで安定して移動できる。
【００３７】
また、調整ボルト４９を軸周りに正逆回転させれば、摺接部材５３と第１リンク１０の上板１０ｃとに与える抗力を容易に調整することが出来るため、アーム装置３にて支持するディスプレイ１の変更によるディスプレイ１の重量の変化に対応して、ディスプレイ１を安定して支持することが出来る。
【００３８】
また、付勢力調整機構３４を構成するボルト５８を六角レンチ６３等の適宜工具にて回動させることで、コイルバネ３５を適宜伸縮させ、コイルバネ３５の引っ張り力を調整することが出来るので、アーム装置３にて支持するディスプレイ１の変更によるディスプレイ１の重量の変化に対応してディスプレイ１を安定して支持することが出来る。また、長期の仕様により撓みが生じた場合にあってもコイルバネ３５の付勢力の調整を容易に行える。
【００３９】
本実施例においては、第１アーム１２がほぼ水平状態にある時にのみ、付勢力調整機構３３を構成するボルト５８の頭部５８ａが後方を向き、第２垂直軸８の後方の開口から六角レンチ６３を差し込めるようになっている。すなわち、アームに最大のモーメントがかかっている状態において付勢力の調整が可能となるので、調整後におけるディスプレイ１の落下が確実に防止され、調整時における安全性が高まる。
【００４０】
図８には、抗力調整手段としての調整ボルト４９の変形例が示されている。このように、調整ボルト４９の上端部に、大径の把手部材６４を設ければ、付与する抗力の調整を工具等を用いることなく、外部から手動で容易に操作出来る。また、把手部材６４が第１アーム１２におけるディスプレイ１寄りに設けられているので、使用者はディスプレイ１を任意の高さ位置に支持した状態で把手部材６４を容易に操作し、ディスプレイ１の任意の高さ位置で容易に固定することが出来る。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、上記実施例において、摺接部材５３は上板１０ｂにおけるディスプレイ１側に設けられていたが、この配設位置は特に限定されるものではなく、固定基部１５側に設けられていてもよい。
【００４３】
【発明の効果】
本発明は以下の効果を奏する。
【００４４】
（ａ）請求項１項の発明によれば、アームの回動に伴い、互いのリンク部材同士の相対移動、すなわち平行リンクの回転に伴いリンク部材同士が正逆方向に互いに移動するため、単一面積当たりに与える抗力が例えば半分まで小さくても、平行リンクの回動を簡単な構造で従来と同様に規制出来、ディスプレイの移動時における摩擦音が生じにくくなるばかりか、安定してディスプレイを移動させることが出来る。
【００４５】
（ｂ）請求項２項の発明によれば、支持するディスプレイの重量変更に対応して、ディスプレイを安定して支持することが可能となる。
【００４６】
（ｃ）請求項３項の発明によれば、平行リンクを、手動で外部から簡単に固定出来る。
【図面の簡単な説明】
【図１】本発明の実施例としてのディスプレイ支持装置の使用状態を示す側面図である。
【図２】図１のディスプレイ支持装置の内部構造を示す一部破断側面図である。
【図３】図２のＢ−Ｂ断面図である。
【図４】図１ののディスプレイ支持装置の使用状態を示す側面図である。
【図５】図１のディスプレイ支持装置の内部構造を示す一部破断平面図である。
【図６】図１のＡ−Ａ断面図である。
【図７】付勢力調整機構を示す要部拡大断面図である。
【図８】抗力調整手段としてのボルトの変形例が示されている。
【符号の説明】
１          ディスプレイ
２          天板
３          アーム装置
４          取付板
５          把手部
７          第１垂直軸
８          第２垂直軸
８ａ        筒状部材
８ｂ        支持板
９ａ〜９ｄ  水平軸
１０        第１リンク（リンク部材）
１０ａ      側板
１０ｂ      上板
１０ｃ      下面
１１        第２リンク（リンク部材）
１１ａ      側板
１２        第１アーム（平行リンク）
１３        第２アーム
１４        ブラケット
１４ａ      上板
１５        固定基部
２１        水平軸
３３        区画板
３３ａ      垂直板
３３ｂ      水平板
３３ｃ      傾斜板
３４        付勢力調整機構
３５        コイルバネ
３６        係合孔
３７        カバー部材
３８        係止部
３９        配線収納空間
４０        取付板
４１        筒状部材
４２        支持棒
４３        支持部材
４４        溝部
４５        棒材
４６        配線収納空間
４７        係止片
４８        係止溝
４９        調整ボルト（抗力調整手段）
５０        挿通孔
５１        垂直片
５２        摺接板（面板）
５３        摺接部材（摩擦部材）
５４        長溝
５５        ナット（抗力調整手段）
５６        押圧板
５７        フック片
５７ａ      フック部
５８        ボルト
５８ａ      頭部
５９        係止板
６０        ナット
６１        軸部材
６２        蓋部材
６３        六角レンチ
６４        把手部材
Ｓ          空間部
【図１】
0004489211.tif 000002
【図２】
0004489211.tif 000003
【図３】
0004489211.tif 000004
【図４】
0004489211.tif 000005
【図５】
0004489211.tif 000006
【図６】
0004489211.tif 000007
【図７】
0004489211.tif 000008
【図８】
0004489211.tif 000009